【事件の表示】
　特願２０００−２７７３４９「座標情報入力装置，座標情報入力方法、および、座標情報入力のためのプログラムを記憶した記憶媒体」拒絶査定不服審判事件〔平成１４年　３月２９日出願公開、特開２００２−　９１８９８〕について、次のとおり審決する。
【結　論】
　本件審判の請求は、成り立たない。
【理　由】
第１．手続の経緯  
　本願は、平成１２年９月１２日の出願であって、平成２３年２月２３日付けで拒絶査定され、これに対し、平成２３年５月２４日に拒絶査定不服の審判が請求されるとともに、同時に手続補正がされたものである。
　 
第２．平成２３年５月２４日付けの手続補正書についての補正の却下の決定
　
[補正却下の決定の結論]
　平成２３年５月２４日付けの手続補正（以下、「本件補正」という）による補正を却下する。
　
[理由]
１．本件補正前及び本件補正後の本願発明
　本件補正は、特許請求の範囲及び明細書についてするもので、特許請求の範囲の請求項１については、
　
（１）本件補正前の請求項１に「座標を入力するための複数の座標入力手段」とあったところを「入力信号によりそれぞれを識別可能な複数のペンであって、座標を入力するための複数のペン」と限定し、
（２）本件補正前の請求項１に「ボタンの押下に応じて所定の時間の計測を開始し」とあったところを、「ペンのボタンの押下後の押下解除に応じて所定の時間の計測を開始し」と限定し、
（３）本件補正前の請求項１に「当該一の座標入力手段のボタンが押下されていない状態で前記所定の時間が経過するまでの間」とあったところを「当該一のペンのボタンの押下から当該ボタンが押下されていない状態で前記所定の時間が経過するまでの間」と限定するものである。
　よって、本件補正は、少なくとも特許請求の範囲の請求項１については、特許法第１７条の２第４項第２号（特許請求の範囲の減縮）に掲げる事項を目的とするものである。
　
　そこで、本件補正後の特許請求の範囲に記載されている事項により特定される発明が、特許出願の際独立して特許を受けることができるものであるか（特許法第１７条の２第５項において準用する同法第１２６条第５項に規定する要件を満たすか）否かを、請求項１に係る発明（以下、「本願補正発明」という。）について以下に検討する。
　
　本願補正発明は、次のとおりのものである。
　「ボタンを有し、入力信号によりそれぞれを識別可能な複数のペンであって、座標を入力するための複数のペンと、
　前記ボタンが押下されていない間、前記入力信号により識別可能な前記複数のペンからのそれぞれの座標の入力を有効とする処理手段であって、前記複数のペンのうち一のペンのボタンの押下後の押下解除に応じて所定の時間の計測を開始し、当該一のペンのボタンの押下から当該ボタンが押下されていない状態で前記所定の時間が経過するまでの間前記複数のペンのうち前記一のペンからの座標の入力のみを有効とする、処理手段と
　を具備したことを特徴とする座標情報入力装置。」
　
２．引用発明
　原査定の拒絶理由に引用された特開昭６１−１２０５６６号公報（以下、「引用例」という。）には図面とともに以下の技術事項が記載されている。
　
ａ．「本発明は、電子黒板等の図形情報入力装置を用いて図形情報を入力し伝送する図形情報伝送装置の改良に関する。」（第１頁右下欄第２０行〜第２頁左上欄第２行の記載。）
　
ｂ．「第５図はその構成の一例を示すもので、入力盤１１、座標変換部１２、図形情報の入力形態を指定する入力モード指定スイッチ部１３および指定された入力モード情報を表示するランプ表示部１４からなる図形情報入力装置１と、この図形情報入力装置１から出力された座標情報および入力モード情報に基づいて図形情報を作成する制御回路２１、この制御回路２１で作成された図形情報を通信回線４へ送出するモデム２２および表示用メモリ２３からなる宅内装置２と、上記表示用メモリ２３から出力された図形情報を表示する図形表示装置３とから構成されている。尚、上記図形情報入力装置１の入力モード指定スイッチ部１３では、図形情報入力モードと消去モードとの切換え指定、入力した図形情報の線幅あるいは消去幅の指定、図形情報の色の指定等が行われる。
　この様な構成において、入力モード指定スイッチ部１３で例えば図形情報入力モードを指定し、この状態で入力盤１１に筆記を行なうと、この筆記情報は座標変換部１２で座標情報に変換されて、筆記を開始したことを示す情報（ペンオン信号）とともに宅内装置２に送られる。そうすると、この宅内装置２の制御回路２１は、いま前記入力モード指定スイッチ部１３で図形情報入力モードが指定されているので上記座標検出部１２から出力された座標情報を図形情報であると認識し、この情報をモデム２２より通信回線４へ送出するとともに、表示用メモリ２３を介して図形表示装置３に出力してモニタ表示させる。」（第２頁左上欄第１０行〜同頁右上欄第１８行の記載。）
　
ｃ．「〔発明の実施例〕
　第１図は、本発明の一実施例における図形情報伝送装置のブロック構成図で、この伝送装置は、宅内装置２に接続装置５を接続し、この接続装置５に３台の図形情報入力装置１Ａ、１Ｂ、１Ｃをそれぞれ接続するようにしたものである。尚、同図において第５図と同一部分には同一符号を付して詳しい説明は省略する。また、各図形情報入力装置１Ａ、１Ｂ、１Ｃの構成は前記第５図に示した入力装置と同様とする。
　第２図は、上記接続装置５の回路構成を示すもので、この装置は各図形情報入力装置１Ａ、１Ｂ、１Ｃの座標検出部から送られた座標情報を選択的に宅内装置２へ供給するアナログスイッチ部５１と、同じく各座標検出部から発生された入力開始信号（ペンオン信号）および入力終了信号（ペンオフ信号）をそれぞれ入力するペンオンオフ入力部５２と、図形情報入力装置１Ａ、１Ｂ、１Ｃの入力モード指定スイッチ部から出力された入力モード指定信号をそれぞれ入力するモード入力部５３と、各図形情報入力装置１Ａ、１Ｂ、１Ｃのランプ表示部に対し上記指定入力モードに対応するランプ点灯信号およびランプ消灯信号を送出するランプ制御信号出力部５４と、宅内装置２に対し制御信号の授受を行なう入出力インタフェース回路５５と、主制御部５６とから構成されている。この主制御部５６は、制御回路としてマイクロプロセッサを備えたもので、各図形情報入力装置１Ａ、１Ｂ、１Ｃを選択的に宅内装置２に接続するための各種制御を行なう。」（第３頁右上欄第８行〜同頁左下欄第１７行の記載。）
　
ｄ．「この様な構成において、接続装置５の主制御部５６は、入力待受状態において第３図に示すステップ３ａで各図形情報入力装置１Ａ，１Ｂ，１Ｃの入力モード指定スイッチ部からのモード指定情報の到来を監視している。」（第３頁左下欄第１８行〜同頁右下欄第２行の記載。）
　
ｅ．「続いて第４図（ａ）のステップ４ａで筆記開始を示すペンオン信号の到来監視を行なう。尚、上記ステップ３ｄで同時入力有りと判定した場合は、ステップ３ｇで予め設定してある優先順位に従って各入力装置に対し順にランプの点灯制御を実行する。
　さて、この状態でオペレータが図形情報入力装置１Ａの入力盤に文字を筆記すると、座標検出部から先ずペンオン信号Ａ２が出力されてこの信号Ａ２は主制御部５６によりステップ４ａで検出される。このペンオン信号Ａ２を検出すると主制御部５６は、ステップ４ｂで上記ペンオン信号が正常な信号であるか否かを判定し、正常であればステップ４ｃでどの入力装置から出力されたものであるかを判別する。そして次にステップ４ｄで同時入力が有るか否かを判定し、なければステップ４ｅに移行する。尚、同時入力が有る場合はステップ４ｈで予め設定してある優先順位に従って入力装置を選択し、ステップ４ｅに移行する。
　そうしてステップ４ｅに移行すると主制御部５６は、このステップ４ｅで先ず他の図形情報入力装置（ここでは１Ｂ，１Ｃ）へ表示ランプ消灯信号を送出し、これにより図形情報入力装置１Ｂ，１Ｃの表示ランプを消灯させて入力が不可能であることを知らせる。そして次に、ステップ４ｆで上記ペンオン信号Ａ２を出力した入力装置１Ａに対応するアナログスイッチをオンとし、しかるのちステップ４ｇにて前記ステップ３ｆで内部メモリに記憶しておいた入力モード情報Ａ３を読み出し、この情報を入出力インタフェース回路５５を介してＤ３として宅内装置２へ送出する。これに対し宅内装置２はランプ点灯信号Ｄ４を返送するので、主制御部５６はステップ４ｉで上記ランプ点灯信号Ｄ４の返送を監視し、返送されればステップ４ｊでペンオン信号Ｄ２を宅内装置２へ出力する。そしてステップ４ｋでペンオフ信号、つまり入力盤から入力ペンを離したことを示す信号の到来を監視する。尚、上記ペンオン信号を受信すると宅内装置２は、その時点から接続装置５のアナログスイッチを経て図形情報入力装置１Ａから送られる座標情報Ａ１を入力し、この座標情報Ａ１から図形情報を作成して通信回線４へ送出するとともに、図形表示装置３に表示させる。
　さて上記ステップ４ｋでペンオフ信号の到来を検出すると主制御部５６は、ステップ４ｌで上記ペンオフ信号を宅内装置２へ送出し、しかるのちステップ４ｍで内蔵しているタイマを初期化したのち駆動する。そしてこのタイマのタイムオーバをステップ４ｐで監視しながらステップ４ｎおよびステップ４ｏでそれぞれペンオン信号Ａ２の到来および入力モード情報Ａ３の到来を監視する。そして上記タイマがタイムオーバするまでの間にペンオン信号Ａ２又は入力モード情報Ａ３が到来しなければ、筆記入力が終了したものと判断してステップ４ｑでアナログスイッチをオフし、しかるのちステップ４ｒで宅内装置２の動作を初期化するための制御を行なったのち、ステップ４ｓでそれまでランプ消灯信号を出力して入力不可としていた他の図形情報入力装置１Ｂ、１Ｃに対しランプ点灯信号Ｂ４、Ｃ４を出力して入力モードの表示ランプを再びオンとし、入力可とする。一方、上記タイマのタイムオーバ前に再度ペンオン信号Ａ２又は入力モード情報Ａ３が到来したときは、まだ一つの文字を筆記中であると判断して前記第３図の入力モード情報の到来監視（ステップ３ａ）に戻り、以上の制御を繰返し実行する。」（第３頁右下欄第２０行〜第４頁右下欄第５行の記載。）
　
　上記引用例記載事項及び図面の記載を総合勘案すると、上記引用例には以下の発明（以下、「引用発明」という。）が記載されているものと認められる。
＜引用発明＞
「宅内装置２に接続装置５を接続し、この接続装置５に３台の図形情報入力装置１Ａ、１Ｂ、１Ｃをそれぞれ接続するようにした伝送装置であって、
　図形情報入力装置１は、入力盤１１、座標変換部１２、図形情報の入力形態を指定する入力モード指定スイッチ部１３からなり、入力盤１１に筆記を行なうと、この筆記情報は座標変換部１２で座標情報に変換されて、筆記を開始したことを示す情報（ペンオン信号）とともに送られ、
　接続装置５は各図形情報入力装置１Ａ、１Ｂ、１Ｃの座標検出部から送られた座標情報を選択的に宅内装置２へ供給するアナログスイッチ部５１と、同じく各座標検出部から発生された入力開始信号（ペンオン信号）および入力終了信号（ペンオフ信号）をそれぞれ入力するペンオンオフ入力部５２と、図形情報入力装置１Ａ、１Ｂ、１Ｃの入力モード指定スイッチ部から出力された入力モード指定信号をそれぞれ入力するモード入力部５３を備え、
　接続装置５の主制御部５６は、入力待受状態において各図形情報入力装置１Ａ，１Ｂ，１Ｃの入力モード指定スイッチ部からのモード指定情報の到来を監視しており（ステップ３ａ）、オペレータが図形情報入力装置１Ａの入力盤に文字を筆記すると、座標検出部からペンオン信号Ａ２が出力されてこの信号Ａ２は主制御部５６により検出され、同時入力が有る場合は予め設定してある優先順位に従って入力装置を選択し、上記ペンオン信号Ａ２を出力した入力装置１Ａに対応するアナログスイッチをオンとし、ペンオン信号Ｄ２を宅内装置２へ出力し、ペンオフ信号、つまり入力盤から入力ペンを離したことを示す信号の到来を監視し、
　宅内装置２は、上記ペンオン信号を受信するとその時点から接続装置５のアナログスイッチを経て図形情報入力装置１Ａから送られる座標情報Ａ１を入力し、この座標情報Ａ１から図形情報を作成して通信回線４へ送出するとともに、図形表示装置３に表示させ、
　主制御部５６は、ペンオフ信号の到来を検出すると上記ペンオフ信号を宅内装置２へ送出し、しかるのち内蔵しているタイマを初期化したのち駆動し、上記タイマがタイムオーバするまでの間にペンオン信号Ａ２又は入力モード情報Ａ３が到来しなければ、筆記入力が終了したものと判断してアナログスイッチをオフし、上記タイマのタイムオーバ前に再度ペンオン信号Ａ２又は入力モード情報Ａ３が到来したときは、まだ一つの文字を筆記中であると判断して入力モード情報の到来監視（ステップ３ａ）に戻り、以上の制御を繰返し実行する
　ことを特徴とする伝送装置。」
　
３．対比・判断
　本願補正発明と引用発明とを対比する。
（３−１）引用発明の「伝送装置」は、「３台の図形情報入力装置１Ａ、１Ｂ、１Ｃ」を含み、「図形情報入力装置１」は「入力盤１１」を含むものであって、「入力盤１１に筆記を行なうと、この筆記情報は座標変換部１２で座標情報に変換されて、筆記を開始したことを示す情報（ペンオン信号）とともに送られ」、さらに、「入力盤１１」は「入力盤から入力ペンを離した」際に「ペンオフ信号」を出力するものであるから、引用発明の「３台の図形情報入力装置１Ａ、１Ｂ、１Ｃ」の「入力ペン」が本願補正発明の「座標を入力するための複数のペン」に相当する。
（３−２）引用発明において「主制御部５６は、ペンオフ信号の到来を検出すると上記ペンオフ信号を宅内装置２へ送出し、しかるのち内蔵しているタイマを初期化したのち駆動」する点と、本願補正発明の「前記複数のペンのうち一のペンのボタンの押下後の押下解除に応じて所定の時間の計測を開始」する点とは、本願明細書【０００９】、【００１３】、及び、【００９０】段落の記載を考慮すると、前記複数のペンのうち一のペンの筆記が中断したことに応じて所定の時間の計測を開始する点で共通する。
（３−３）引用発明において「ペンオフ信号の到来を検出すると」、「内蔵しているタイマを初期化したのち駆動」し、「タイマのタイムオーバ前に再度ペンオン信号Ａ２又は入力モード情報Ａ３が到来したときは、まだ一つの文字を筆記中であると判断して入力モード情報の到来監視（ステップ３ａ）に戻」ることと、本願補正発明の「当該一のペンのボタンの押下から当該ボタンが押下されていない状態で所定の時間が経過するまでの間」において、「前記複数のペンのうち前記一のペンからの座標の入力のみを有効とする」こととは、本願明細書【０００９】、【００１３】、及び、【００９０】段落の記載を考慮すると、当該一のペンによる筆記が開始されてから筆記が中断した状態で所定の時間が経過するまでの間において、前記複数のペンのうちの前記一のペンからの座標の入力を有効とする点で共通する。
（３−４）引用発明の「伝送装置」は、「図形情報入力装置１」を含み、「図形情報入力装置１」は、「入力盤１１に筆記を行なうと、この筆記情報は座標変換部１２で座標情報に変換されて、筆記を開始したことを示す情報（ペンオン信号）とともに送られ」るものであるから、引用発明の「伝送装置」は、本願補正発明の「座標情報入力装置」に相当する。また、引用発明の伝送装置がペン入力についての「処理手段」を備えていることは明らかである。
　
　したがって、本願補正発明と引用発明とは、次の点で一致する。
＜一致点＞
「座標を入力するための複数のペンと、前記複数のペンのうち一のペンの筆記が中断したことに応じて所定の時間の計測を開始し、当該一のペンによる筆記が開始されてから筆記が中断した状態で所定の時間が経過するまでの間において、前記複数のペンのうちの前記一のペンからの座標入力を有効とする、処理手段とを具備したことを特徴とする座標入力装置。」
　
　また、両者は次の点で相違する。
＜相違点１＞
　本願補正発明では、「ペン」が「ボタンを有し」、「一のペンのボタンの押下から当該ボタンが押下されていない状態で前記所定の時間が経過するまでの間前記複数のペンのうち前記一のペンからの座標の入力のみを有効とする」のに対し、引用発明では、「入力ペン」が「ボタン」を有しておらず、一の入力ペンの「ペンオン信号」、すなわち「筆記を開始」してから、「ペンオフ信号」すなわち入力盤から入力ペンを離したことを示す信号の到来後、タイマが「タイムオーバ」するまでの間は「文字を筆記中」であると判断するものである点。
　
＜相違点２＞
　本願補正発明では「ペン」は、「入力信号によりそれぞれを識別可能」であって、「ボタンが押下されていない間、入力信号により識別可能な前記複数のペンからのそれぞれの座標の入力を有効」としているのに対し、引用発明では、「入力ペン」の識別が「入力信号」により可能であるとは記載されておらず、また、「ボタンが押下されていない間、入力信号により識別可能な前記複数のペンからのそれぞれの座標の入力を有効」とすることも記載されていない点。
　
　そこで、上記相違点について検討すると、
＜相違点１＞について：
　描画用の移動器具にボタンを備え、ボタンを押している間は描画し、離すとカーソルの移動のみを行う装置は、例えば、特開平６−２０２７９５号公報第【０１３５】段落に「従来より、ボタンを押している間は描画し、離すとカーソルの移動のみを行う装置はあったが、これは一連の線分描画中にボタンを押したり離したりすると破線のような描画が実行されるものであり」と記載されているように、周知技術である。
　また、文字の筆記入力が終了しない間は、該文字を筆記中のオペレータの座標入力「のみ」を優先して処理することが好ましいことは、いうまでもないことである。
　よって、引用発明に上記周知技術を適用し、引用発明の「入力ペン」が「ボタン」を備えるようにし、「筆記を開始」したときや筆記の中断、すなわち入力盤から入力ペンを離した時をそれぞれ「ペンオン信号」及び「ペンオフ信号」によって判断することに代え、「入力ペン」の「ボタン」が「押下」されているか、「押下されていない」かによって判断する様にし、「入力ペン」が一のペンのボタンの押下から当該ボタンが押下されていない状態でタイマが「タイムオーバ」するまでの間（所定の時間が経過するまでの間）は「文字を筆記中」のオペレータからの座標入力のみを有効とすること（複数のペンのうち前記一のペンからの座標の入力のみ有効とする）ことは、当業者が容易になし得たことである。
　
＜相違点２＞について：
　「ペン」を、「入力信号によりそれぞれ識別可能」とすることは周知技術である（例えば、特開平９−１０６３２０号公報の「各スタイラスはそれぞれ独自の正弦波生成器９０４の識別形態にカスタマイズされ、図５の個別ペン選択回路５００が複数のスタイラスにより入力面に生じた複数の電界を分離する。これは、個々のスタイラスの電気信号を分離し、同時に使用されている複数のスタイラスの各位置を検出するのを可能にする。」（第【００３２】段落）、特開平１１−５３２３６号公報の「ＣＰＵ５１は、ペンＩＤ認識部５７が各ペン型入力デバイスＰ（Ｐ１〜Ｐｎ）のＩＤ番号を認識することにより、複数のペン型入力デバイスＰ（Ｐ１〜Ｐｎ）により操作入力がされた場合、例えば、複数のユーザがそれぞれペン型入力デバイスＰ（Ｐ１〜Ｐｎ）を有しており、各ユーザにより操作入力がされた場合、いずれのペン型入力デバイスＰ（Ｐ１〜Ｐｎ）により操作入力がされたかを判断する。」（第【００５０】段落）、及び、特開２０００−１７２４２１号公報の「入力ペン１２ａ，１２ｂ，１２ｃは内部に各々周波数の異なる交流磁界発生器を備え、コードレス方式で電子ボード１０に手書き文字や図形を入力できる。」、「制御部１３は、電子ボード上における入力ペン１２ａ，１２ｂ，１２ｃの位置を個別に検知し、各入力ペンの位置データを外部のコンピュータ２０に送る。」（第【００１０】段落）の記載参照。）。また、上記特開平６−２０２７９５号公報第【０１３５】段落に記載されているとおり、ボタンを離すとカーソルの移動のみを行うことも周知技術である。
　よって、引用発明において、これらの周知技術を併せて適用し、引用発明の「入力ペン」が「ボタン」を備えるようにする際、ボタンを離している間（ボタンが押下されていない間）は、入力信号により識別可能な前記複数の入力ペンからのそれぞれのカーソルの座標の入力を有効（ボタンが押下されていない間、入力信号により識別可能な前記複数のペンからのそれぞれの座標の入力を有効）とすることは、当業者が必要に応じ、格別困難なくなし得たことである。
　
　また、本願補正発明の奏する作用効果も、引用発明及び周知技術から当業者が予測しうる程度のものである。
　
　以上のとおり、本願補正発明は、引用発明及び周知技術に基づいて、当業者が容易に発明できた発明であるから、特許法第２９条第２項の規定により、特許出願の際独立して特許を受けることができないものである。
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　 
　
第３．本願発明について 
１．本願発明 
　平成２３年５月２４日付けの手続補正は上記のとおり却下されたので、本願の請求項１〜５に係る発明は、平成２２年６月３日付けの手続補正書により補正された特許請求の範囲の請求項１〜５に記載されたとおりのものであるところ、請求項１に係る発明（以下、「本願発明」という。）は、次のとおりのものである。 
　「ボタンを有し、座標を入力するための複数の座標入力手段と、
　前記ボタンが押下されていない間、前記複数の座標入力手段からのそれぞれの座標の入力を有効とする処理手段であって、前記複数の座標入力手段のうち一の座標入力手段のボタンの押下に応じて所定の時間の計測を開始し、当該一の座標入力手段のボタンが押下されていない状態で前記所定の時間が経過するまでの間前記複数の座標入力手段のうち前記一の座標入力手段からの座標の入力のみを有効とする、処理手段と
　を具備したことを特徴とする座標情報入力装置。」 
　 
２．引用発明及び周知技術 
　引用発明及び周知技術は、上記「第２［理由］」中の「２．引用発明」の項、及び、「３．対比・判断」の項に示したとおりである。 
　 
３．対比・判断 
　本願発明は上記「第２［理由］」で検討した本願補正発明から「１．本件補正前及び本件補正後」の項に記載した（１）〜（３）の限定を省いたものに相当する。 
　そうすると、本願発明の発明特定事項を全て含み、さらに他の発明特定事項を付加したものに相当する本願補正発明が、前記「第２［理由］」の「３．対比・判断」の項に記載したとおり、引用発明及び周知技術に基づいて当業者が容易に発明できたものであるから、本願発明も同様の理由により、引用発明及び周知技術に基づいて、当業者が容易に発明できたものである。 
　 
４．むすび 
　以上のとおり、本願の請求項１に係る発明は、特許法第２９条第２項の規定により特許を受けることができない。
　したがって、その余の請求項について論及するまでもなく、本願は拒絶すべきものである。
　 
　よって、結論のとおり審決する。